(57)【要約】【課題】壁面等にビス止めする取付部とタオル等の物掛け部を分離すると共に、取り付けや取り外しが容易な物掛け構造体を提供すること。【解決手段】先端の爪が内側に向き内側頭部１１２が内側下方に傾斜する形状の一対の第１爪部１１１及び第１爪部１１１より下方に位置し先端間に隙間ができるように内側に延びる一対の舌状部１２を有する第１係合部１１とを備える、壁面等に固定される樹脂製の台座部材１と、第１爪部に係合する一対の第２爪部を有する第２係合部を備える、該台座部材に着脱自在に取り付けられる取り付け部材２と、一対の舌状部の先端間の隙間に嵌め込まれ、下から上への外力により上方移動し、該上方移動を一対の舌状部に伝達する作動部材３と、を備える物掛け構造体１０。【選択図】図１
2010022552.tif 000002
【特許請求の範囲】
【請求項１】
中央に貫通孔を有する床部（ａ１）、該貫通孔の両側の床部に起立状で設置される、先端の爪が内側に向き内側頭部が内側下方に傾斜する形状の一対の第１爪部及び該第１爪部より下方に位置し先端間に隙間ができるように内側に延びる一対の舌状部を有する第１係合部（ａ２）とを備える、壁面等に固定される樹脂製の台座部材（Ａ）と、
該第１爪部に係合する一対の第２爪部を有する第２係合部（ｂ１）及び物を掛ける物掛け部（ｂ２）を備える、該台座部材に着脱自在に取り付けられる取り付け部材（Ｂ）と、
該一対の舌状部の先端間の隙間に嵌め込まれるものであって、該舌状部の上方に位置する上方羽根と舌状部の下方に位置する下方羽根（ｃ１）と該上方羽根と該下方羽根（ｃ２）を中央で連結する連結棒（ｃ３）と該下方羽根の中央から下方へ延び該台座部材の床部の貫通孔から下方へ突出する下方突出部（ｃ４）を有し、下から上への外力により上方移動し、該上方移動を該一対の舌状部に伝達する作動部材（Ｃ）と、を備えることを特徴とする物掛け構造体。
【請求項２】
該台座部材（Ａ）には該取り付け部材（Ｂ）の嵌合をガイドする第１ガイド部（ａ３）を、該取り付け部材（Ｂ）には該第１ガイド部と嵌合する第２ガイド部（ｂ３）を形成したことを特徴とする請求項１記載の物掛け構造体。
【請求項３】
該台座部材（Ａ）に壁面側に位置する背面板（ａ４）を設け、該背面板の該一対の舌状部の先端間の隙間に対峙する位置に貫通孔を設けたことを特徴とする請求項１又は２記載の物掛け構造体。
【請求項４】
該第２係合部（ｂ１）は、取り付け本体部の天部から垂下状で設置される、先端の爪が外側に向いたものである請求項１〜３のいずれか１項に記載の物掛け構造体。
【請求項５】
該第１ガイド部（ａ３）は傾斜溝であり、第２ガイド部（ｂ３）は該傾斜溝に係合する傾斜突起であり、該傾斜溝は該取り付け部が嵌る側から該台座部材が設置される壁面等側へ向けて傾斜する溝であることを特徴とする請求項２記載の物掛け構造体。
【請求項６】
該物掛けが、タオル掛けであることを特徴とする請求項１〜５のいずれか１項に記載の物掛け構造体。
【発明の詳細な説明】
【技術分野】
【０００１】
本発明は、例えばタオルレール、タオル掛け具のような室内の壁面への取り付けや取り外しが容易な物掛け構造体に関するものである。
【背景技術】
【０００２】
従来、タオルレールなどの物掛け構造体は、部屋の壁面にビス止めして固定する方法や吸盤により固定する方法が知られている（非特許文献１）。
【０００３】
近年、マンションや一戸建ての内装は高級化の傾向にある。このため、吸盤により固定するタオルレールよりも、ビス止めし、ビス頭を目隠しする取付部を備える高級感のあるタオルレールが好まれている。その一方で、転勤、子供の成長による買い替えなど引っ越しすることは意外と多い。その場合、高級感のあるタオルレールなどは取り外して、再度使用する傾向にある。
【非特許文献１】「Ａｃｃｅｓｓｏｒｙ Ｃｏｌｌｅｃｔｉｏｎ Ｖｏｌ.２ 」カタログ、発行所；カワジュン株式会社  ２００５年６月発行、１１４〜１２０頁
【発明の開示】
【発明が解決しようとする課題】
【０００４】
しかしながら、従来のタオルレールでは、取付部とタオル掛け部が一体であるため、ビスを取り外し難いという問題がある。
【０００５】
従って、本発明の目的は、壁面等にビス止めする取付部とタオル等の物掛け部を分離すると共に、取り付けや取り外しが容易な物掛け構造体を提供することにある。
【課題を解決するための手段】
【０００６】
すなわち、本発明は上記従来の課題を解決したものであって、中央に貫通孔を有する床部（ａ１）、該貫通孔の両側の床部に起立状で設置される、先端の爪が内側に向き内側頭部が内側下方に傾斜する形状の一対の第１爪部及び該第１爪部より下方に位置し先端間に隙間ができるように内側に延びる一対の舌状部を有する第１係合部（ａ２）とを備える、壁面等に固定される樹脂製の台座部材（Ａ）と、該第１爪部に係合する一対の第２爪部を有する第２係合部（ｂ１）及び物を掛ける物掛け部（ｂ２）を備える、該台座部材に着脱自在に取り付けられる取り付け部材（Ｂ）と、該一対の舌状部の先端間の隙間に嵌め込まれるものであって、該舌状部の上方に位置する上方羽根と舌状部の下方に位置する下方羽根（ｃ１）と該上方羽根と該下方羽根（ｃ２）を中央で連結する連結棒（ｃ３）と該下方羽根の中央から下方へ延び該台座部材の床部の貫通孔から下方へ突出する下方突出部（ｃ４）を有し、下から上への外力により上方移動し、該上方移動を該一対の舌状部に伝達する作動部材（Ｃ）と、を備えることを特徴とする物掛け構造体を提供するものである。
【０００７】
なお、請求項の符号は、構成要素の理解を容易にするために付したものであり、（Ａ）を構成する部分には「ａ」を、（Ｂ）を構成する部分には「ｂ」を、（Ｃ）を構成する部分には「ｃ」を付した。
【発明の効果】
【０００８】
本発明の物掛け構造体は、樹脂製の台座部材の一対の第１爪部の頭部と取り付け部材の一対の第２爪部の頭部とが突き当たり、一対の第１爪部間の間隔を広げるため、手の把持力で容易に嵌合させることができる。また、台座部材から取り付け部材を取り外す際、作動部材に下から上への外力を与えるだけで、作動部材が上方移動し、この動きに連動して一対の舌状部の先端部分が上方へ押しされ、これにより、一対の舌状部の基部が外側に押されるため、一対の第２爪部間の間隔が広がり、第１爪部との係合が外れる。すなわち、本発明の物掛け構造体は、台座部材と取り付け部材が分離すると共に、その取り付けや取り外しが容易となる。
【発明を実施するための最良の形態】
【０００９】
次に、本発明の実施の形態における物掛け構造体について図１〜図７を参照して説明する。図１は本例の物掛け構造体の分解斜視図、図２は図１を別の角度（やや見上げる角度）から見た分解斜視図、図３は台座部材の分解斜視図、図４は本例の物掛け構造体を裏から見た分解斜視図、図５は作動部材を斜め下から見た斜視図、図６は台座部材に取り付け部材を取り付ける方法を説明する図、図７は台座部材から取り付け部材を取り外す方法を説明する図である。なお、図１及び図２は作動部材を組み込んだ状態における分解図である。また、本明細書中、「上」、「下」、「左」及び「右」は、台座部材に対して取り付け部材を上方から下方に押し込んで組み付ける設置形態における位置を言う。また、「後」は壁面側を言う。
【００１０】
物掛け構造体１０は、壁面等に固定される樹脂製の台座部材１、タオル等が掛けられる取り付け部材２、作動部材３及び固定部品ａ〜ｃからなる。作動部材３は台座部材１に組み込まれる。また、取り付け部材２は台座部材１に着脱自在に取り付けられる。なお、固定部品ａ〜ｃは本発明において任意の構成要素である。
【００１１】
樹脂製の台座部材１は本例では外観が略直方体であって、前面の中央部分に係止部Ｉが、両側部分に壁面への固定部ＩＩが、両側端面にガイド部ＩＩＩが形成されている。
【００１２】
係止部Ｉには、中央に貫通孔２１１を有する薄板状の床部１９、貫通孔２１１の両側の床部１９に起立状で設置される、先端の爪が内側に向き内側頭部１１２が内側下方に傾斜する形状の一対の第１爪部１１１と、第１爪部１１１より下方に位置し先端間に隙間ができるように内側に延びる一対の舌状部１２を有する第１係合部１１が形成されている。すなわち、第１係合部１１は床部１９から上方に起立する部材であり、第２係合部２３と係合を維持するのに十分な強度を有すると共に、取り付ける際、第１爪部１１１の内側部分の頭に取り付け部材２の第２爪部２３１の頭が押し込まれて、左右に僅かに撓み、その押し込みの解除により元の形状を復元するような強度を有する。
【００１３】
また、貫通孔２１１は作動部材３の下方突出部３４が出没する孔である。下方突出部３４の先端部分は台座部材１と取り付け部材２が組み込まれた状態において、貫通孔２１１より下方に僅かに突出している。このため、当該部分を触れることで組込み状態を確認できる。また、一対の第１爪部１１１の先端間の幅寸法は、一対の第２爪部２３１の先端間の幅寸法より小であり、且つ第１爪部１１１と第２爪部２３１が係合できる寸法である。また、先端の爪が内側に向き内側頭部１１２が内側下方に傾斜する形状としたのは、組み付けの際、取り付け部材２の第２爪部２３１の頭を当該傾斜部に当接させて、一対の第１爪部１１１の先端間の幅寸法を左右に押し広げるためである。第１爪部１１１の内側頭部が水平状であると第２爪部２３１の頭を傾斜状にしない限り、一対の第１爪部１１１間の幅寸法は広がらない。台座部材１は通常は硬質樹脂製であるため、第１爪部１１１と第２爪部２３１が押し込みにより係合する際、「パチッ」と言う嵌め込み音を体感できる。
【００１４】
一対の舌状部１２は、第１爪部１１１より下方で、且つ起立状の第１係合部１１の中間部分から内側で且つやや斜め下方にアーチ状に延びている。これにより、一対の舌状部１２の先端部が上方に押されると、一対の舌状部１２と第１爪部１１１が一体形成されているため、第１爪部１１１の先端間の幅寸法は広がることになる。また、一対の舌状部１２の先端間には僅かな隙間が形成されている。これにより、当該隙間に略略Ｘ断面形状の作動部材３の取り付けが可能となる。
【００１５】
作動部材３は、一対の舌状部１２の先端間の隙間に嵌め込まれるものであって、舌状部１２の上方に位置する左右の羽根がやや外側の上方に延びる上方羽根３１と、舌状部の下方に位置する左右の羽根が真横に延びる下方羽根３２と、上方羽根３１と下方羽根３２を中央で連結する連結棒３３と下方羽根３２の中央から下方へ延びる下方突出部３４からなる。連結棒３３の太さと長さは、作動部材３を一対の舌状部１２の先端間の隙間に嵌め込むことが可能となり、設置後は上方羽根３１が舌状部１２の上方に、下方羽根３２が舌状部１２の下方になるような寸法とする。また、作動部材３を一対の舌状部１２の先端間の隙間に嵌め込んだ際、下方羽根３２が台座部材１の床部２１の上面に当接し、下方突出部３４が床部２１の貫通孔２１１に貫通して貫通孔２１１から僅かに突出するようにする。このような組み付け形態を採るため、下方突出部３４を下方から指で触れることで組込み状態を確認できる。また、下から上への外力、すなわち下方から下方突出部３４を例えばドライバーｄで押し上げれば、押し下げによる上方移動が一対の舌状部１２に伝達され舌状部１２の先端部が押し上げられ、同時に一対の第１爪部１１１間の間隔を広げることになる。
【００１６】
また、台座部材１は壁面側に位置する背面板１８を有し、一対の舌状部１２の先端間の隙間に対峙する背面板１８の位置に貫通孔１５（図３及び図４）を有している。背面板１８を設けることで、台座部材１の強度を高めることができる。また、貫通孔１５を設けることで、壁面に設置する前に誤って台座部材３と取り付け部材２を組み付けた場合、両者の分離を容易にする。すなわち、壁面に設置する前に誤って台座部材３と取り付け部材２を組み付けた場合、片手にその組み付け体を持ち、他方の手でドライバーを持ち、下方突出部３４を押し込んだとしても、両手が塞がっているため、台座部材３と取り付け部材２を離す方向への外力はかけられない。そこで、台座部材１の裏側からドライバーの先端を貫通孔１５から通して下方羽根３２の下方に潜り込ませる。そしてテコの原理を応用して作動部材３を上方へ押しやる。このテコ動作は貫通孔１５を形成する枠の縁を利用できるため、ドライバーを持たない反対側の手をフリーにできる。従って、台座部材３と取り付け部材２を分離させることができる。なお、図４の台座部材１の裏面構造には４つのリブ１６が表れているため貫通部分が判りにくいが、背面板１８を貫通する孔は、中央のひとつの貫通孔１５と、両側部分に形成される２つのビス孔１８である。
【００１７】
固定部ＩＩはくり抜き状の凹部であり、その凹部には２つのビス孔１８が形成されている。これにより、直方体状の台座部材１を壁面等に固定することができる。
【００１８】
ガイド部ＩＩＩには、傾斜溝１３が切られている。傾斜溝１３は取り付け部材２が嵌る側から台座部材１が設置される壁面等側へ向けて傾斜する、すなわち、図３では下方に行くに連れて後側へ向かう溝（第１ガイド部）である。取り付け部材２には同様の方向に傾斜状の板状突起２４（第２ガイド部）が形成されており、傾斜溝１３と傾斜状の板状突起２４を嵌合することで、取り付け当初は壁面から離れた状態でありながら最終的には壁面に近接した状態とすることができる。これにより、取り付け当初に起こりがちな、壁紙への損傷のリスクを回避することができる。また、樹脂製の傾斜溝１３と金属製の傾斜状の板状突起２４が嵌合するため、台座部材１と取り付け部材２のガタツキが防止できる。金属製の傾斜溝と金属製の傾斜状の板状突起２４との嵌合ではガタツキを効果的に防止することはできない。
【００１９】
取り付け部材２は一般的には金属製で、後方棒状部材と、前方棒状部材と、後方棒状部材と前方棒状部材の両端を接続する楕円形断面の左右両側部材からなる。後方棒状部材の中央部には取り付け本体部ＩＶが形成され、前方棒状部材が物掛け部Ｖとなる。取り付け本体部ＩＶは、第１爪部１１１に係合する一対の第２爪部２３１を有する第２係合部２３と、傾斜溝１３（第１ガイド部）と嵌合する傾斜状の板状突起２４（第２ガイド部）と、第２係合部２３間の中央に設置される板状突起２３を備えるものであり、外観は第２係合部２３や板状突起２３を覆い隠す枠体構造となっている。板状突起２３は任意の構成部材である。枠体の両側部材間の内寸法は台座部材１の外側寸法と同じか又はやや大であり、台座部材１に取り付け部材２を取り付ける際の設置安定性を高めている。
【００２０】
第２係合部２３は、取り付け本体部の天部、本例では後方棒状部材から垂下状で設置される、先端の爪２３１(第２爪部)が外側に向いたものである。第２爪部２３１は第１爪部１１１と係合すると共に、第２爪部２３１の先端間の幅寸法は第１爪部１１１の先端間の幅寸法より大である。また、第２爪部２３１の形状は、先端の爪が外側に向き且つ外側頭部が外側上方に傾斜する形状を呈するものが好適である。第２爪部２３１の頭形状が傾斜形状を採ることで、台座部材１に取り付け部材２を取り付ける際、第１爪部１１１と第２爪部２３１がより嵌合し易くなる。
【００２１】
第２係合部２３間の中央に設置される板状突起２３はストッパー機能を奏する。すなわち、板状突起２３は  台座部材１から取り付け部材２を取り外す際、ドライバーｄの押し込みのストロークを決定するものである。すなわち、ドライバーｄの下方から上方への押し込みは、作動部材３が板状突起２３の先端に当たるまで行なうことになる。板状突起２３の長さは当該効果を奏する範囲で適宜決定される。板状突起２３の長さが長過ぎると、作動部材３の上方移動距離が短くなり、第１爪部１１１間の開きが小さく台座部材１から取り付け部材２が外れ難くなる。また、板状突起２３の長さが短過ぎると、作動部材３の上方移動距離が長くなり、一対の舌状部１２が過度に変形して第１係合部１１が破損する恐れがでてくる。
【００２２】
次に、壁面に固定された台座部材１に取り付け部材２を取り付ける方法を図６を参照して説明する。なお、台座部材１の壁面への取り付けは、ビスａ、バネ座金ｂ及び平座金ｃにより、固定部ＩＩのビス孔１８を使用して取り付けられる。取り付け部材２は壁面に固定された台座部材１に対して上方から下方へ押し込む。すなわち、取り付け部材２の枠体内に台座部材１が収容されるように押し込む。その際、傾斜溝１３と傾斜状の板状突起２４が係合して、取り付け部材２の下方への押し込みによる移動をガイドする。またその際、第１爪部１１１の傾斜状の頭と第２爪部２３１の傾斜状の頭が当接する（図６（Ａ））。更に取り付け部材２を押し込むが、この際、親指を台座部材１の床部中央の裏側にあてがうようにして、台座部材１と取り付け部材２を把持して両者を互いに押し込むようにする。これにより、第２爪部２３１は金属製であるため変形はせず、第１爪部１１１が外側に押される（図６（Ｂ））。この際、床部１９は薄板であるため、上方へ多少変形してもよい（図６（Ｃ））。これにより、作動部材３が上方へ押し上げられ、これと連動して舌状部１２の先端が上方へ移動するため、第１爪部１１１の開きを高めることができる。更に取り付け部材２を押し込めば、第１爪部１１１と第２爪部２３１とが係合して、両者の嵌合が終了する（図６（Ｄ））。この場合、作動部材３の下方突出部３４の先端部分は、床部１９の貫通孔２１１から下方へ僅かに突出している。これにより、外側から当該部分を指で触れることができ、両者の嵌合の完了を確認することができる。外側から床部１９の貫通孔２１１部分を指で触れ、下方突出部３４の感触が無い場合、両者の嵌合は不十分であり、更に取り付け部材２を押し込むことになる。
【００２３】
次に、壁面に固定された台座部材１から取り付け部材２を取り外す方法を図７を参照して説明する。マイナスドライバーｄを用意し、その先端を貫通孔２１１の下方突出部３４にあてがい、下方から上方に押し込む。その押し込み力により作動部材３と舌状部１２の先端部が上方移動して、作動部材３が取り付け部材２の板状突起２４に突き当たる。この際、舌状部１２の先端部の上方移動に連動して第１爪部１１１間の間隔が広がり、第１爪部１１１と第２爪部２３１の係合が解かれる（図７（Ｂ））。次に、この状態を維持しながら、取り付け部材２を上方へ引上げる（図７（Ｃ））。第１爪部１１１と第２爪部２３１の係合が完全に解かれたら、マイナスドライバーｄを外すことができる。これにより、台座部材１と取り付け部材２は完全に分離される。
【００２４】
取り付け部材２における物掛け部２２は、本例においては棒状部材である。なお、物掛け部２２における「物」としては、タオル、衣類などが挙げられる。従って、物掛け部２２の形状は、本例の棒状部材に限定されず、掛ける物の種類により適宜決定される。
【００２５】
本発明において、取り付け部材２の第２係合部（第２爪部）の材質は、台座部材１との係合により変形しない強度を有するものであり、金属製又は第１係合部１１より硬い硬質樹脂製である。この中、金属製とするのが、強度を付与できると共に高級感を与えることができる点で好適である。本発明において、第１ガイド部１３と第２ガイド部２４は任意の構成要素であるが、第１ガイド部１３と第２ガイド部２４を有するほうが、壁紙を損傷させることがない点で好適である。
【図面の簡単な説明】
【００２６】
【図１】本例の物掛け構造体の分解斜視図である。
【図２】図１を別の角度（やや見上げる角度）から見た分解斜視図である。
【図３】台座部材の分解斜視図である。
【図４】本例の物掛け構造体を裏から見た分解斜視図である。
【図５】作動部材を斜め下から見た斜視図である。
【図６】台座部材に取り付け部材を取り付ける方法を説明する図である。
【図７】台座部材から取り付け部材を取り外す方法を説明する図である。
【符号の説明】
【００２７】
１      樹脂製の台座部材
２      取り付け部材
３      作動部材
１０      物掛け構造体
１１      第１係合部
１２      一対の舌状部
１９      薄板状の床部
２３      第２係合部
３４      下方突出部
１１１      一対の第１爪部
１１２      内側頭部
２１１      貫通孔
２３１      第２爪部
ａ〜ｃ  固定部品
【図１】
2010022552.tif 000003
【図２】
2010022552.tif 000004
【図３】
2010022552.tif 000005
【図４】
2010022552.tif 000006
【図５】
2010022552.tif 000007
【図６】
2010022552.tif 000008
【図７】
2010022552.tif 000009